(57)【要約】      （修正有）【課題】直接印刷可能なラバーマグネットを提供する。【解決手段】本ラバーマグネットの表面に設ける塗料層には直接印刷、プリント、描写、外観の美化を行なうことができ、従来のラバーマグネット製品ではその表面にプラスチック層又は紙層を貼り付けてはじめて実現できる効果をこれらの層を設けることなくして得ることができ、その構造が大いに簡略化され、一般的な塗布被覆操作によりその効果が得られ、工程が合理的であり、操作が簡単であり、実施が容易であり、装置コストが低減する。本物品はプラスチック材料や紙等、同時回収の困難な材料の回収コストが生じないので、回収が容易である。その表面の塗料層の占める割合が比較的小さく、粘結磁性体と共に回収することができ、分離工程を設ける必要がなく、このことも回収を容易にする。またコストも相対的に低く、環境保護効果も良好である。【選択図】図１
0003162856.tif 000002
【実用新案登録請求の範囲】
【請求項１】
粘結磁性体を含む、直接印刷の可能なラバーマグネット製品であって、粘結磁性体の表面に塗料層が設けられ，該塗料層と粘結磁性体とは重ねあわされて連結されていることを特徴とする製品。
【請求項２】
請求項１に記載する直接印刷可能なラバーマグネット製品であって、前記塗料層が粘結磁性体の１側面または両側面に設けられることを特徴とする製品。
【請求項３】
請求項１に記載する直接印刷可能なラバーマグネット製品であって、粘結磁性体の厚さ方向に塗料層が設けられていることを特徴とする製品。
【請求項４】
請求項１に記載する直接印刷可能なラバーマグネット製品であって、前記塗料層は一層または複数層からなることを特徴とする製品。
【請求項５】
請求項１に記載する直接印刷可能なラバーマグネット製品であって、前記粘結磁性体は金属、金属酸化物、合金材料よりなるハードマグネットまたはソフトマグネット材料と粘結剤とを粘結して形成したシート状（？）の製品であることを特徴とする製品。
【請求項６】
請求項１に記載する直接印刷可能なラバーマグネット製品であって、前記粘結磁性体はシート状の製品であることを特徴とする製品。
【請求項７】
請求項１に記載する直接印刷可能なラバーマグネット製品であって、前記塗料層は無色透明、単色、複数色、または多彩着色であることを特徴とする製品。
【請求項８】
請求項１に記載する直接印刷可能なラバーマグネット製品であって、前記塗料層の塗料乾燥膜の重量は５〜２００g/m2の範囲内であることを特徴とする製品。
【考案の詳細な説明】
【背景技術】
【０００１】
現在のラバーマグネット製品は一般に粘結磁性体層と、これを覆う表面層とから構成される。粘結磁性体層は磁性粉体乃至鉄粉を粘結して形成される。表面層は一般にPVCのようなプラスチック材料層や、アート紙のような紙の層からなる。表面層と粘結磁性体層は粘着により連結される。表面層の表面には印刷を行ない、文字を書き、種々の装飾を施して図案を表示することができ、ラバーマグネット製品に装飾効果をもたらすことができる。しかしながら、現在のマグネット製品の構造には明らかな欠陥がある。
【０００２】
（１）製造工程の面から見て、別個の接着性プラスチック層又は紙の層を必要とするので、特別な接着工程を設ける必要があり、工程が複雑となる。また、プラスチックや紙等の材料のコストが比較的高く、従って、この種の構造のラバーマグネット製品の原材料や加工のコストが比較的高くなる。
【０００３】
（２）この種のラバーマグネット製品の使用を廃止する場合には、その処分回収が比較的煩雑である。プラスチックや紙等の材料と粘結性磁性体材料とでは大きな相違があり、従って、回収時には表面層と粘結性磁性体層とを分離した後でなければ回収を行なうことができない。すでに強固に粘結した表面層と粘結性磁性体層とを分離処理するコストが比較的高く、従って、この種のラバーマグネット材料は回収して再利用することが困難である。
【考案の概要】
【０００４】
本考案の目的は従来技術の欠点や不充分な点を克服し、構造が簡単で、製造が便利に実施され、容易に回収し再利用ができる直接印刷可能なラバーマグネット製品を提供することである。
【０００５】
本考案の目的は、下記の技術を用いることにより、直接印刷可能なラバーマグネット製品で、粘結磁性体を含み、その表面に塗料層を設け、塗料層と粘結性磁性体とを重ね合わせて連結してなることを特徴とする製品を実現することである。
【０００６】
塗料層は粘結磁性体の一表面、又は両表面に設けることができる。比較的厚みのある粘結性磁性体の場合には、粘結性磁性体の厚さ方向に塗料層を設けることもできる。
【０００７】
塗料層は一層又は複数層設けることができる。塗料層の材料は水性または油性の印刷塗料でもよく、水性又は油性のインクジェットプリンター用塗料でもよい。
【０００８】
粘結性磁性体は金属、金属酸化物や合金材料のハードマグネット又はソフトマグネットと粘結剤とを接着して形成するシート状のものである。粘結性磁性体の一般的形態はフラットなシート状（たとえば薄片状、ストリップ状、帯状）で、比較的軟らかく、自由に湾曲して孤状、環状、螺旋状等を形成し得る。
【０００９】
塗料層は無色透明、単色、複数色又は多彩着色であり得る。
【００１０】
塗料層の厚さは比較的薄く、一般的には塗料層乾燥膜の重量範囲は５〜２００ｇ／m2の範囲内である。
【００１１】
本考案は従来技術に比較すると、次のような利点及び効果がある。即ち、
（１）本考案にかかるラバーマグネット製品は、その表面に塗料層を設け、この塗料層に直接印刷、タイプ、描写、外観の美化を行なうことができる。これは、塗料層が比較的薄いので、直接粘結磁性体上にこれらの操作を加えることに近い効果が得られる。これにより、従来のラバーマグネット製品においてその表面にプラスチック層又は紙層を貼り付けて初めて実現できる効果をこれらの層を設けることなくして得ることができるようになった。また、その構造が非常に簡略化され、一般的な塗布被覆操作によりその効果が得られ、工程が合理的であり、操作が簡単であり、実施が容易であり、かつ製造コストが明らかに低減する。
【００１２】
（２）本ラバーマグネット製品は、そのプラスチック材料や紙等、同時回収の困難な材料の回収コストが生ずることがないので、その回収が極めて簡単である。また、その表面の塗料層の占める割合が比較的小さく、粘性磁性体と共に回収することができ、分離工程を設ける必要がなく、このことも回収を容易にするものであり、コストも相対的に低い。また、環境保護効果も比較的良好である。
【図面の簡単な説明】
【００１３】
図１は本考案の一例の構造を示す概略図、図２は本考案の他の例の構造を示す概略図、図３は本考案のさらに別の例の構造を示す概略図、図４は本考案のさらなる例の構造を示す概略図である。
【考案を実施するための形態】
【００１４】
本考案について、以下に、実施例と図面により、さらに詳細に説明する。但し、本考案の実施態様はこれらに限定されるものではない。
【００１５】
実施例１
図１は本考案の一例の具体的構造を示す。図１から明らかなように、本ラバーマグネット製品は粘結磁性体１と、該磁性体１の上表面に設けた単色の塗料層2とを有する。該単色塗料層２と粘結磁性体１とは重ね合わされて連結される。該粘結磁性体１は塩素化ポリエチレン（CPE）、ポリ塩化ビニル（PVC）、エチレンビニルアセテート（EVA）、ポリエチレン、ナイロン、二トリルゴム（NBR）、ポリプロピレン等より得られる、粘結剤を用いて粘結された磁性体粉末から形成されたプレート状の材料である。単色塗料層２の材料は水性又は油性の印刷塗料から成り、直接塗布被覆工程により粘結磁性体1の上表面に形成される。該単色塗料層２の厚さは比較的薄く、一般に塗料層乾燥膜の重量は５〜２００ｇ／m2の範囲内である
【００１６】
実施例２
図２は本考案の他の例の具体的構造を示す。図２から明らかなように、本ラバーマグネット製品は以下に述べる特徴を除き実施例１と同じである粘結磁性体１の上下両表面上に同時に塗料層が重ね合わされて設けられる。ここに、上表面の塗料層２‐１は単色であり、その材料は水性又は油性のインクジェットプリント塗料である。した表面の塗料層２‐２は無色透明で、その材料は水性又は油性の印刷塗料である。粘結磁性体１はCPE、PVC、EVA、ポリエチレン、ナイロン、NBR、ポリプロピレン等より得られる、粘結形成されたプレート状の材料である。
【００１７】
実施例３
図３は本考案のさらに別の例の具体的構造を示す。図３から明らかなように、本ラバーマグネット製品は以下に述べる特徴を除き実施例１と同じである。粘結磁性体１の上表面には２層の塗料層２‐３、２‐４が設けられる。その中で第１の塗料層２−３は単色であり、その材料は水性又は油性の印刷塗料である。第２の塗料層２‐４は多彩着色である。その材料は水性又は油性のインクジェットプリント塗料である。
【００１８】
実施例４
図４は本考案のさらなる例の具体的構造を示す。図４から明らかなように、本ラバーマグネット製品は以下に述べる特徴を除き実施例１と同じである。粘結磁性体１の厚さは比較的厚く、その厚さ方向にも塗料層２‐５が設けられる。塗料層２‐５の一部は粘結磁性体１の右側に厚さ方向に設けられる。
【００１９】
上述の実施例は本考案の比較的良好な実施態様を示すものであるが、本考案の実施態様はこれら実施例により限定されるものではない。
【００２０】
本考案の精神、本質、原理に違背しないいかなる改変、就職、代替、組合せ、簡略化、均等物による同等の効果を有する置換態様も、すべて本考案の保護範囲内に含まれるものである。
【図１】
0003162856.tif 000003
【図２】
0003162856.tif 000004
【図３】
0003162856.tif 000005
【図４】
0003162856.tif 000006
【手続補正書】
【提出日】平成22年7月1日(2010.7.1)
【手続補正１】
【補正対象書類名】実用新案登録請求の範囲
【補正対象項目名】全文
【補正方法】変更
【補正の内容】
【実用新案登録請求の範囲】
【請求項１】
粘結磁性体を含む、直接印刷の可能なラバーマグネット製品であって、粘結磁性体の表面塗料層が設けられ，該塗料層と粘結磁性体とは重ねあわされて連結されていることを特
徴とする製品。
【請求項２】
請求項１に記載する直接印刷可能なラバーマグネット製品であって、前記塗料層が粘結磁性体の１側面または両側面に設けられることを特徴とする製品。
【請求項３】
請求項１に記載する直接印刷可能なラバーマグネット製品であって、粘結磁性体の厚さ方向に塗料層が設けられていることを特徴とする製品。
【請求項４】
請求項１に記載する直接印刷可能なラバーマグネット製品であって、前記塗料層は一層または複数層からなることを特徴とする製品。
【請求項５】
請求項１に記載する直接印刷可能なラバーマグネット製品であって、前記粘結磁性体は金属、金属酸化物、合金材料よりなるハードマグネットまたはソフトマグネット材料と粘結剤とを粘結して形成したシート状の製品であることを特徴とする製品。
【請求項６】
請求項１に記載する直接印刷可能なラバーマグネット製品であって、前記粘結磁性体はシート状の製品であることを特徴とする製品。
【請求項７】
請求項１に記載する直接印刷可能なラバーマグネット製品であって、前記塗料層は無色透明、単色、複数色、または多彩着色であることを特徴とする製品。
【請求項８】
請求項１に記載する直接印刷可能なラバーマグネット製品であって、前記塗料層の塗料乾燥膜の重量は５〜２００g/m2の範囲内であることを特徴とする製品。